(57)【特許請求の範囲】
【請求項１】
画像データを生成する画像生成手段と、
前記画像データに関する情報を含む付加情報を生成する付加情報生成手段と、
第１のモードが選択されている場合は、前記画像データが改変されているか否かの検証に必要な第１の検証データを生成し、第２のモードが選択されている場合は、前記第１の検証データを生成するだけでなく、前記付加情報が改変されているか否かの検証に必要な第２の検証データを生成する検証データ生成手段と、
前記第１のモードが選択されている場合は、前記画像データ、前記付加情報および前記第１の検証データを含むが、前記第２の検証データを含まない第１の画像ファイルを生成し、前記第２のモードが選択されている場合は、前記画像データ、前記付加情報、前記第１の検証データおよび前記第２の検証データを含む第２の画像ファイルを生成する画像ファイル生成手段とを有することを特徴とする画像生成装置。
【請求項２】
前記第１のモードが選択されている場合は、前記第１の画像ファイルを着脱可能な記憶媒体に書き込み、前記第２のモードが選択されている場合は、前記第２の画像ファイルを前記記憶媒体に書き込む書き込み手段をさらに有することを特徴とする請求項１に記載の画像生成装置。
【請求項３】
前記検証データ生成手段は、第３のモードが選択されている場合は、前記第２の検証データを生成し、
前記画像ファイル生成手段は、前記第３のモードが選択されている場合は、前記画像データ、前記付加情報および前記第２の検証データを含むが、前記第１の検証データを含まない第３の画像ファイルを生成することを特徴とする請求項１または２に記載の画像生成装置。
【請求項４】
前記書き込み手段は、前記第３のモードが選択されている場合は、前記第３の画像ファイルを前記記憶媒体に書き込むことを特徴とする請求項３に記載の画像生成装置。
【請求項５】
前記検証データ生成手段は、前記第１の検証データを生成する場合は、公開鍵暗号方式における秘密鍵に相当する情報を用いて、前記画像データから得られたハッシュ値を前記第１の検証データに変換し、前記第２の検証データを生成する場合は、公開鍵暗号方式における秘密鍵に相当する情報を用いて、前記付加情報から得られたハッシュ値を前記第２の検証データに変換することを特徴とする請求項１から４のいずれかに記載の画像生成装置。
【請求項６】
前記第１の検証データは、前記画像データのデジタル署名であり、前記第２の検証データは、前記付加情報のデジタル署名であることを特徴とする請求項５に記載の画像生成装置。
【請求項７】
前記検証データ生成手段は、前記第１の検証データを生成する場合は、共通鍵暗号方式における共通鍵に相当する情報を用いて、前記画像データから得られたハッシュ値を前記第１の検証データに変換し、前記第２の検証データを生成する場合は、共通鍵暗号方式における共通鍵に相当する情報を用いて、前記付加情報から得られたハッシュ値を前記第２の検証データに変換することを特徴とする請求項１から４のいずれかに記載の画像生成装置。
【請求項８】
前記第１の検証データは、前記画像データのＭＡＣ（Message Authentication Code）であり、前記第２の検証データは、前記付加情報のＭＡＣ（Message Authentication Code）であることを特徴とする請求項７に記載の画像生成装置。
【請求項９】
前記付加情報は、前記画像生成装置に関する情報をさらに含むことを特徴とする請求項１から８のいずれかに記載の画像生成装置。
【請求項１０】
前記画像生成装置は、デジタルカメラ、デジタルビデオカメラ、スキャナ、ファクシミリ装置または複写機であることを特徴とする請求項１から９のいずれかに記載の画像生成装置。
【発明の詳細な説明】
【０００１】
【発明の属する技術分野】
本発明は、画像データの付加情報が改変されているか否かの検証を可能にする画像生成装置に関するものである。
【０００２】
【従来の技術】
近年、被写体の光学像をデジタル化して記憶するデジタルカメラが実用化されている。
デジタルカメラで撮影された画像データは、パーソナルコンピュータに取り込むことが簡単にできる反面、パーソナルコンピュータ上で簡単に改変することができるという問題があった。そのため、デジタルカメラで撮影された画像データの信頼性は、銀塩写真よりも低く、証拠能力が乏しいという問題があった。そこで、近年、デジタルカメラで撮影された画像データにデジタル署名を付加する機能を有するデジタルカメラシステムが提案されている。従来のデジタルカメラシステムは、例えば、米国特許第５，４９９，２９４、特開平９−２００７３０号に開示されている。
【０００３】
【発明が解決しようとする課題】
しかしながら、従来のデジタルカメラシステムは、画像データのデジタル署名またはＭＡＣ（Message Authentication Code）と、その画像データの付加情報のデジタル署名またはＭＡＣとを別々に生成することはできなかった。そのため、画像データが改変されているか否かおよび付加情報が改変されているか否かを別々に検出することができないという問題があった。つまり、ユーザは、画像データが改変されているのか、画像データの付加情報が改変されているのか、それとも画像データおよび付加情報が改変されているのかを特定したくても、特定することができないという問題があった。
【０００４】
本発明は、上述の問題を解決するためになされたものであり、画像データの検証データ（デジタル署名、ＭＡＣなど）および付加情報の検証データ（デジタル署名、ＭＡＣなど）を別々に検証できるようにし、どのデータが改変されているかを特定できるようにする画像生成装置を提供することを目的とする。
【０００５】
【課題を解決するための手段】
本発明に係る画像生成装置は、例えば、画像データを生成する画像生成手段と、前記画像データに関する情報を含む付加情報を生成する付加情報生成手段と、第１のモードが選択されている場合は、前記画像データが改変されているか否かの検証に必要な第１の検証データを生成し、第２のモードが選択されている場合は、前記第１の検証データを生成するだけでなく、前記付加情報が改変されているか否かの検証に必要な第２の検証データを生成する検証データ生成手段と、前記第１のモードが選択されている場合は、前記画像データ、前記付加情報および前記第１の検証データを含むが、前記第２の検証データを含まない第１の画像ファイルを生成し、前記第２のモードが選択されている場合は、前記画像データ、前記付加情報、前記第１の検証データおよび前記第２の検証データを含む第２の画像ファイルを生成する画像ファイル生成手段とを有することを特徴とする。
【００１５】
【発明の実施の形態】
以下、図面を参照し、本発明に好適な本実施の形態を説明する。
図１は、本実施の形態における画像検証システムの一構成例を説明する図である。第１の実施の形態では、画像データが改変されているか否かの検証に必要な検証データがその画像データのデジタル署名である場合を説明する。
画像生成装置１０は、被写体の画像データを生成する機能と、署名モードＡ、ＢおよびＣの何れかを実行する機能とを有する装置である。
【００１６】
署名モードＡは、第１のタイプのデジタル署名付き画像ファイル（以下、画像ファイルＡ）を生成するモードである。画像ファイルＡは、画像データ、その画像データの付加情報、その画像データのデジタル署名、画像生成装置１０の固有ＩＤなどのデータを含む画像ファイルである。
【００１７】
署名モードＢは、第２のタイプのデジタル署名付き画像ファイル（以下、画像ファイルＢ）を生成するモードである。画像ファイルＢは、画像データ、その画像データの付加情報、その付加情報のデジタル署名、画像生成装置１０の固有ＩＤなどのデータを含む画像ファイルである。
【００１８】
署名モードＣは、第３のタイプ（以下、タイプＣ）のデジタル署名付き画像ファイルを生成するモードである。画像ファイルＣは、画像データ、その画像データの付加情報、その画像データのデジタル署名、その付加情報のデジタル署名、画像生成装置１０の固有ＩＤなどのデータを含む画像ファイルである。
【００１９】
なお、画像生成装置１０は、デジタルカメラ、デジタルビデオカメラ、スキャナなどの撮像装置であっても、カメラユニットを有する装置であってもよい。あるいは、画像読み取りユニットを有するファクシミリ装置、複写機などの装置であってもよい。
【００２０】
検証装置２０は、検証モードＡ、ＢおよびＣの何れかを実行する機能を有する装置である。
検証モードＡは、画像データが改変されているか否かを検証するモードである。検証モードＡの場合、検証装置２０は、画像ファイルＡまたはＣの画像データを検証することができる。
検証モードＢは、画像データの付加情報が改変されているか否かを検証するモードである。検証モードＢの場合、検証装置２０は、画像ファイルＢまたはＣの付加情報を検証することができる。
検証モードＣは、画像データが改変されているか否かを検証し、且つ、画像データの付加情報が改変されているか否かを検証するモードである。検証モードＣの場合、検証装置２０は、画像ファイルＣの画像データおよび付加情報を検証することができる。
なお、検証装置２０は、パーソナルコンピュータなどの情報処理装置であればよい。
【００２１】
図２は、本実施の形態における画像生成装置１０の主要な機能構成を説明するブロック図である。
２０１は、ＣＣＤ（電荷結合素子）などの光学センサー、光学系を制御するマイクロプロセッサなどを有し、被写体の画像データである画像データＩする画像生成部である。
【００２２】
２０２は、画像データＩに付加される付加情報を生成する付加情報生成部である。この付加情報は、画像データＩに関する情報および／または画像生成装置１０に関する情報を含む。具体的には、画像データＩの生成日時（年、月、日、時刻を含む）、画像データＩのデータサイズ、コントラスト、被写体までの距離、シャッタースピード、絞り値、製造番号、レンズユニットに関する情報、フラッシュの有無、測光方式、露出制御方式、所有者名、ファームウェアのバージョンなどである。
【００２３】
２０３は、秘密情報Ｋｓを記憶するメモリである。この秘密情報Ｋｓは、公開鍵暗号方式（ＲＳＡ暗号など）における秘密鍵に相当する情報である。
２０４は、ハッシュ関数ＨＦを用いて、画像データＩのハッシュ値（メッセージダイジェストあるいはダイジェストデータともいう）Ｈ１１を生成する第１の演算処理と、メモリ２０３から得た秘密情報Ｋｓを用いて、第１の演算処理で生成されたハッシュ値Ｈ１１をデジタル署名Ａに変換する第２の演算処理とを行う。この第１および第２の演算処理は、画像生成装置１０が署名モードＡまたはＣのときに実行される。
【００２４】
また、演算部２０４は、ハッシュ関数ＨＦを用いて、画像データＩの付加情報のハッシュ値Ｈ２１を生成する第３の演算処理と、メモリ２０３から得た秘密情報Ｋｓを用いて、第３の演算処理で生成されたハッシュ値Ｈ２１をデジタル署名Ｂに変換する第４の演算処理とを行う。この第３および第４の演算処理は、画像生成装置１０が署名モードＢまたはＣのときに実行される。
【００２５】
なお、ハッシュ関数ＨＦは、ＭＤ−２、ＭＤ−５、ＳＨＡ−１、ＲＩＰＥＭＤ−１２８及びＲＩＰＥＭＤ−１６０の何れかであっても、その他のハッシュ関数であってもよい。
【００２６】
２０５は、画像生成装置１０に固有の情報である固有ＩＤ（例えば、画像生成装置１０の製造番号、シリアル番号など）を記憶するメモリである。
２０６は、画像ファイルＡ、ＢまたはＣを生成する画像ファイル生成部である。各画像ファイルのファイル形式は、ＪＦＩＦ（JPEG File Interchange Format）、ＴＩＦＦ（Tagged Image File Format）及びＧＩＦ（Graphics Interchange Format）の何れかであっても、それらを拡張したものであっても、その他の画像ファイルフォーマットであってもよい。
【００２７】
２０７は、磁気ディスク、光ディスク、メモリカードなどのリムーバブルメディア（着脱可能な記憶媒体）であり、画像ファイルＡ、ＢおよびＣを記憶する。
２０８は、画像ファイルＡ、ＢまたはＣをリムーバブルメディア２０７に書き込む機能と、画像ファイルＡ、ＢまたはＣをリムーバブルメディア２０７から読み出す機能とを有するメディア制御部である。
２０９は、リムーバブルメディア２０７が記憶する画像ファイルＡ、ＢまたはＣを検証装置２０に送信する機能を有するインタフェース部である。
【００２８】
２１０は、被写体の画像データの生成、撮影または読み取りを指示するスイッチ、署名モードＡ、ＢおよびＣの何れかを選択する選択スイッチなどを有する操作部である。なお、この選択スイッチは、メニュー画面などのグラフィカルユーザインタフェースによって実現してもよい。
２１１は、メモリとこれに記憶された制御プログラムを実行するマイクロコンピュータとを有し、画像生成装置１０の各部の動作を制御する制御部である。特に、制御部２１１のメモリは、図４で説明する画像生成装置１０の処理手順を制御するための制御プログラムを記憶している。
【００２９】
図３は、本実施の形態における検証装置２０の主要な機能構成を説明するブロック図である。
３０１は、リムーバブルメディア２０７から画像ファイルＡ、ＢまたはＣを読み出す機能を有するメディア制御部である。
３０９は、画像生成装置１０から送信された画像ファイルＡ、ＢまたはＣを受信する機能を有するインタフェース部である。
【００３０】
３０２は、メディア制御部３０１またはインタフェース部３０９から供給された画像ファイルＡ、ＢまたはＣを記憶する記憶部である。
３０４は、複数の固有ＩＤと、各固有ＩＤに対応する公開情報Ｋｐとを記憶するメモリである。公開情報Ｋｐは、秘密情報Ｋｓに対応する情報であり、公開鍵暗号方式（ＲＳＡ暗号など）における公開鍵に相当する情報である。
【００３１】
３０５は、公開情報Ｋｐを用いて、デジタル署名Ａをハッシュ値Ｈ１２に変換する第１の演算処理と、ハッシュ関数ＨＦを用いて、画像データＩのハッシュ値Ｈ１３を生成する第２の演算処理とを行う。この第１および第２の演算処理は、検証装置２０が検証モードＡまたはＣのときに実行される。
【００３２】
また、演算部３０５は、公開情報Ｋｐを用いて、デジタル署名Ｂをハッシュ値Ｈ２２に変換する第３の演算処理と、ハッシュ関数ＨＦを用いて、画像データＩの付加情報のハッシュ値Ｈ２３を生成する第４の演算処理とを行う。この第３および第４の演算処理は、検証装置２０が検証モードＢまたはＣのときに実行される。
【００３３】
３０６は、画像データＩおよび／またはその付加情報を検証する機能を有する検証部である。検証装置２０が検証モードＡである場合、検証部３０６は、画像ファイルＡまたはＣに含まれる画像データＩを検証する。また、検証装置２０が検証モードＢである場合、検証部３０６は、画像ファイルＢまたはＣに含まれる画像データＩの付加情報を検証する。また、検証装置２０が検証モードＣである場合、検証部３０６は、画像ファイルＣに含まれる画像データＩおよびその付加情報を別々に検証する。
【００３４】
３０７は、検証部３０６の検証結果を示す情報を表示する表示部である。
３０８は、メモリとこれに記憶された制御プログラムを実行するマイクロコンピュータとを有し、検証装置２０の各部の動作を制御する制御部である。特に、制御部３０８のメモリは、図４において説明する検証装置２０の処理手順を制御するための制御プログラムを記憶している。
【００３５】
図４は、本実施の形態における画像検証システムの処理手順を説明する図である。
ステップＳ４０１：画像生成部２０１は、ユーザからの指示に従って、被写体の画像データである画像データＩを生成する。画像生成装置１０が署名モードＡまたはＣである場合、画像データＩは、演算部２０４及び画像ファイル生成部２０６に供給される。一方、画像生成装置１０が署名モードＢである場合、画像データＩは、画像ファイル生成部２０６に供給される。
【００３６】
ステップＳ４０２：演算部２０４は、ハッシュ関数ＨＦを用いて、画像データＩのハッシュ値Ｈ１１を生成する。なお、このステップは、画像生成装置１０が署名モードＢである場合は実行されない。
【００３７】
ステップＳ４０３：演算部２０４は、メモリ２０３が保持する秘密情報Ｋｓを用いて、ハッシュ値Ｈ１１をデジタル署名Ａに変換する。そして、演算部２０４は、このデジタル署名Ａを画像ファイル生成部２０６に供給する。なお、このステップは、画像生成装置１０が署名モードＢである場合は実行されない。
【００３８】
ステップＳ４０４：付加情報生成部２０２は、画像データＩの付加情報を生成する。画像生成装置１０が署名モードＡである場合、画像データＩの付加情報は、画像ファイル生成部２０６に供給される。一方、画像生成装置１０が署名モードＢまたはＣである場合、画像データＩの付加情報は、演算部２０４及び画像ファイル生成部２０６に供給する。
【００３９】
ステップＳ４０５：演算部２０４は、ハッシュ関数ＨＦを用いて、画像データＩの付加情報のハッシュ値Ｈ２１を生成する。なお、このステップは、画像生成装置１０が署名モードＡである場合は実行されない。
【００４０】
ステップＳ４０６：演算部２０４は、メモリ２０３が保持する秘密情報Ｋｓを用いて、ハッシュ値Ｈ２１をデジタル署名Ｂに変換する。なお、このステップは、画像生成装置１０が署名モードＡである場合は実行されない。
【００４１】
ステップＳ４０７：画像ファイル生成部２０６は、画像ファイルＡ、ＢまたはＣを生成する。画像生成装置１０が署名モードＡである場合、画像ファイル生成部２０６は画像ファイルＡを生成する。この画像ファイルＡは、画像データＩ、デジタル署名Ａ、画像データＩの付加情報、画像生成装置１０の固有ＩＤなどのデータを含む。また、画像生成装置１０が署名モードＢである場合、画像ファイル生成部２０６は画像ファイルＢを生成する。この画像ファイルＢは、画像データＩ、画像データＩの付加情報、デジタル署名Ｂ、画像生成装置１０の固有ＩＤなどのデータを含む。また、画像生成装置１０が署名モードＣである場合、画像ファイル生成部２０６は画像ファイルＣを生成する。この画像ファイルＣは、画像データＩ、デジタル署名Ａ、画像データＩの付加情報、デジタル署名Ｂ、画像生成装置１０の固有ＩＤなどのデータを含む。メディア制御部２０８は、画像ファイル生成部２０６で生成された画像ファイルＡ、ＢまたはＣをリムーバブルメディア２０７に書き込む。
【００４２】
ステップＳ４０８：ユーザは、リムーバブルメディア２０７が記憶する画像ファイルＡ、ＢまたはＣをリムーバブルメディア２０７またはインタフェース部２０９を介して検証装置２０に入力する。リムーバブルメディア２０７を介して入力する場合、メディア制御部３０１は、リムーバブルメディア２０７から画像ファイルＡ、ＢまたはＣを読み出し、その画像ファイルを記憶部３０２に格納する。一方、インタフェース部２０９を介して入力する場合、インタフェース部３０９は、画像生成装置１０から送信された画像ファイルＡ、ＢまたはＣを受信し、その画像ファイルを記憶部３０２に格納する。
【００４３】
ステップＳ４０９：検証装置２０が検証モードＡまたはＣである場合、検証装置２０は、ステップＳ４０９からステップＳ４１１までの処理を実行する。まず、演算部３０５は、画像ファイルＡまたはＣから画像データＩ、固有ＩＤおよびデジタル署名Ａを取得し、メモリ３０４から固有ＩＤに対応する公開情報Ｋｐを取得する。次に、演算部３０５は、メモリ３０４から得た公開情報Ｋｐを用いて、デジタル署名Ａをハッシュ値Ｈ１２に変換する。
【００４４】
ステップＳ４１０：演算部３０５は、ハッシュ関数ＨＦを用いて、画像データＩのハッシュ値Ｈ１３を生成する。
【００４５】
ステップＳ４１１：検証部３０６は、ステップＳ４０９で得たハッシュ値Ｈ１２とステップＳ４１０で得たハッシュ値Ｈ１３とを比較し、画像データが改変されているか否かを検証する。
【００４６】
２つのハッシュ値が一致した場合（つまり、画像データＩの完全性が正しく検証できた場合）、検証部３０６は、画像データＩが改変されていないものであることを検出する。これと同時に、検証部３０６は、画像データＩが画像生成装置１０で生成されたものであることを検出する。そして、検証装置２０は、画像データＩが改変されていないものであることを示す情報を表示部３０７に表示させる。
【００４７】
一方、２つのハッシュ値が一致しなかった場合（つまり、画像データＩの完全性が正しく検証できなかった場合）、検証部３０６は、画像データＩが改変されているものであることを検出する。そして、検証装置２０は、画像データＩが改変されていることを示す情報を表示部３０７に表示させる。
【００４８】
ステップＳ４１２：検証装置２０が検証モードＢまたはＣである場合、検証装置２０は、ステップＳ４１２からステップＳ４１４までの処理を実行する。まず、演算部３０５は、画像ファイルＡまたはＣから画像データＩの付加情報、固有ＩＤおよびデジタル署名Ｂを取得し、メモリ３０４から固有ＩＤに対応する公開情報Ｋｐを取得する。次に、演算部３０５は、メモリ３０４から得た公開情報Ｋｐを用いて、デジタル署名Ｂをハッシュ値Ｈ２２に変換する。
【００４９】
ステップＳ４１３：演算部３０５は、ハッシュ関数ＨＦを用いて、画像データＩの付加情報のハッシュ値Ｈ２３を生成する。
【００５０】
ステップＳ４１４：検証部３０６は、ステップＳ４１２で得たハッシュ値Ｈ２２とステップＳ４１３で得たハッシュ値Ｈ２３とを比較し、画像データＩの付加情報が改変されているか否かを検証する。
【００５１】
２つのハッシュ値が一致した場合（つまり、画像データＩの付加情報の完全性が正しく検証できた場合）、検証部３０６は、画像データＩの付加情報が改変されていないものであることを検出する。これと同時に、検証部３０６は、画像データＩの付加情報が画像生成装置１０で生成されたものであることを検出する。そして、検証装置２０は、画像データＩの付加情報が改変されていないものであることを示す情報を表示部３０７に表示させる。
【００５２】
一方、２つのハッシュ値が一致しなかった場合（つまり、画像データＩの付加情報の完全性が正しく検証できなかった場合）、検証部３０６は、画像データＩの付加情報が改変されているものであることを検出する。そして、検証装置２０は、画像データＩの付加情報が改変されていることを示す情報を表示部３０７に表示させる。
【００５３】
以上説明したように、本実施の形態における画像検証システムによれば、画像データのデジタル署名および／または付加情報のデジタル署名とを含む画像ファイルを生成することができるので、画像データが改変されているか否かおよび付加情報が改変されているか否かを別々に検証できるようにすることができる。
【００５４】
また、本実施の形態における画像検証システムによれば、画像データのデジタル署名および／または付加情報のデジタル署名とを含む画像ファイルを検証することができるので、画像データが改変されているのか、付加情報が改変されているのか、それとも画像データおよび付加情報が改変されているのかを特定することができる。
なお、本実施の形態では、画像データおよび／または付加情報の検証データをその画像データのデジタル署名および／またはその付加情報のデジタル署名とするシステムを説明したが、本発明はこのようなシステム以外のシステムにも適用可能である。本発明は、例えば、画像データおよび／または付加情報の検証データをその画像データのＭＡＣ（Message Authentication Code）および／またはその付加情報のＭＡＣ（Message Authentication Code）とするシステムにも適用可能である。この場合、秘密情報Ｋｓは、共通鍵暗号方式における共通鍵に相当する情報となり、ＭＡＣの生成および検証に必要な情報となる。そして、この場合、検証データの生成および検証に係る演算が簡単になるため、システムの処理速度およびコストを削減することができる。
【００５５】
本実施形態は、コンピュータがプログラムを実行することによって実現することができる。また、プログラムをコンピュータに供給するための手段、例えばかかるプログラムを記録したＣＤ−ＲＯＭ等の記録媒体又はかかるプログラムを伝送するインターネット等の伝送媒体も本発明の実施形態として適用することができる。上記のプログラム、記録媒体及び伝送媒体は、本発明の範疇に含まれる。記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
なお、上記の各実施の形態は、何れも本発明を実施するにあたっての具体化のほんの一例を示したものに過ぎず、これらにより本発明の技術的範囲が限定的に解釈されてはならないものである。すなわち、本発明はその技術思想、またはその主要な特徴から逸脱することなく、様々な形で実施することができる。
【００５６】
【発明の効果】
以上説明したように、本発明によれば、画像データの検証データ（デジタル署名、ＭＡＣなど）および付加情報の検証データ（デジタル署名、ＭＡＣなど）を別々に検証できるようにすることができる。また、本発明によれば、画像データが改変されているのか、付加情報が改変されているのか、それとも画像データおよび付加情報が改変されているのかを特定することができる。
【図面の簡単な説明】
【図１】本実施の形態における画像検証システムの一構成例を説明する図である。
【図２】本実施の形態における画像生成装置１０の主要な機能構成を説明するブロック図である。
【図３】本実施の形態における検証装置２０の主要な機能構成を説明するブロック図である。
【図４】本実施の形態における画像検証システムの処理手順を説明する図である。
【符号の説明】
１０  画像生成装置
２０  検証装置
【図１】
0003997085.tif 000002
【図２】
0003997085.tif 000003
【図３】
0003997085.tif 000004
【図４】
0003997085.tif 000005